(57)【要約】【課題】配線器具を取り外すのに取付金具ごと配線器具の取り外しを容易にする。【解決手段】配線器具用取付装置は、配線器具８を着脱可能に保持する取付枠９と、取付枠９を保持する取付金具４１と、取付金具４１を床下に埋め込むための埋込部材（埋込カバー３、調整板５，６）とを備える。取付枠９は、前方から操作されるときに配線器具８が取り外し可能となるように構成される取り外し部（解除片９４）が端部（縦枠９１）に設けられる。取付金具４１は、取付枠９の前面に取り付けられる取付板４１１を有し、取付板４１１は、取り外し部を取付枠９の前方から操作可能なように構成される。【選択図】図１
2015154548.tif 000002
【特許請求の範囲】
【請求項１】
配線器具を着脱可能に保持する取付枠と、前記取付枠を保持する取付金具と、前記取付金具を床下に埋め込むための埋込部材とを備え、前記取付枠は、前方から操作されるときに前記配線器具が取り外し可能となるように構成される取り外し部が端部に設けられ、前記埋込部材は、前記床に設けられる開口部に前記配線器具を臨ませるように構成され、前記取付金具は、前記取付枠の前面に取り付けられる取付板を有し、前記取付板は、前記取り外し部を前記取付枠の前方から操作可能なように構成されることを特徴とする配線器具用取付装置。
【発明の詳細な説明】
【技術分野】
【０００１】
本発明は、配線器具用取付装置に関するものである。
【背景技術】
【０００２】
従来より、コンクリート製の床に埋込配設されるフロアコンセントが提供されている（例えば特許文献１参照）。このフロアコンセントは、上面が開口する矩形箱状に形成されたボックスと、上記開口を閉塞するようにしてボックスに取り付けられるカバーと、プラグが着脱自在に差し込まれるコンセントブロックと、カバーに取り付けられるフロアプレートとを備える。
【０００３】
カバーは、下面が開口する扁平な矩形箱状に形成され、カバーの中央部には、フロアプレートが取り付けられる。
【０００４】
コンセントブロックは、プラグが着脱自在に差し込まれる電源コンセントと、電源コンセントを取り付けるための取付金具とで構成され、取付金具は、下端部においてカバーに取り付けられ且つ上端部においてフロアプレートに取り付けられる。
【０００５】
また、埋込型の配線器具をスイッチボックスなどに取り付けるための取付枠が提供されている（例えば特許文献２参照）。この取付枠は配線器具の容易な取り付けを可能にしている。
【先行技術文献】
【特許文献】
【０００６】
【特許文献１】特開平５−２３６６２３号公報
【特許文献２】特開平１１−２０４２０６号公報
【発明の概要】
【発明が解決しようとする課題】
【０００７】
上述の特許文献１に示したフロアコンセントでは、コンセントブロックの配線器具と配線器具を取り付けるための取付金具とが一体化されていた。このため、配線器具を取り外すには取付金具ごと取り外す必要があり、配線器具の容易な取り外しについて考慮されていなかった。
上述の特許文献２に示した埋込型の配線器具では、取付枠が配線器具の容易な取り外しを可能にしている。
そこで、特許文献１記載のフロアコンセントにおいて、取付枠を取付金具に固定すれば、配線器具を取り外す際に取付金具を取り外す手間が省かれ容易に配線器具を取り外すことが可能になる。しかしながら、取付枠から配線器具を外すには、取付枠の解除片を取付枠の前方からドライバ等を使用して抉じ開けて配線器具を取り外す必要がある。その場合、取付枠の解除片が取付金具によって覆われてしまうと、取り外し作業の作業性の向上が望めない。
本発明は上記問題点に鑑みて為されたものであり、その目的とするところは、配線器具の取り外しを容易にする配線器具用取付装置を提供することにある。
【課題を解決するための手段】
【０００８】
本発明の配線器具用取付装置は、配線器具を着脱可能に保持する取付枠と、前記取付枠を保持する取付金具と、前記取付金具を床下に埋め込むための埋込部材とを備え、前記取付枠は、前方から操作されるときに前記配線器具が取り外し可能となるように構成される取り外し部が端部に設けられ、前記埋込部材は、前記床に設けられる開口部に前記配線器具を臨ませるように構成され、前記取付金具は、前記取付枠の前面に取り付けられる取付板を有し、前記取付板は、前記取り外し部を前記取付枠の前方から操作可能なように構成されることを特徴とする。
【発明の効果】
【０００９】
本発明の配線器具用取付装置は、取付金具の取付板が、取付枠の取り外し部を取付枠の前方から操作可能なように構成されているので、取付金具から取付枠を外さずに、取付枠から配線器具を取り外すことができる。そのため、本発明の配線器具用取付装置は、配線器具の取り外しを容易にすることができるという効果がある。
【図面の簡単な説明】
【００１０】
【図１】本発明に係る配線器具用取付装置の実施形態を示し、（Ａ）は取付金具と取付枠の正面図、（Ｂ）は側面図である。
【図２】同上が用いられる床用配線装置の分解斜視図である。
【図３】同上の設置状態を示す断面図である。
【図４】同上に用いられる取付枠を示し、（Ａ）は正面図、（Ｂ）は側面図，（Ｃ）はＡのＸ−Ｘ線断面矢視図である。
【図５】同上に用いられる配線器具の正面図である。
【発明を実施するための形態】
【００１１】
以下に、配線器具用取付装置の実施形態について図１〜図５を参照しながら説明する。
まず、配線器具用取付装置（以下、取付装置と略す）を用いた床用配線装置１について、図２及び図３を参照して説明する。この床用配線装置はフロアコンセントと呼ばれている。
床用配線装置１は、コンクリート製の床１００に埋込配設され、ボックス２内に収納された配線器具８（コンセント）に電源プラグ（図示せず）を差し込むことで、電源プラグが接続された機器（図示せず）に対して電力または情報またはその両方を供給する。ただし、本実施形態では、配線器具として接地極付きの抜け止め式のコンセントを例示するが、配線器具はコンセントに限定されない。
この床用配線装置１は、ボックス２に取り付けられる本実施形態の取付装置と、フロアプレート７とを備える。また、取付装置は、埋込カバー３と調整板５，６から構成される埋込部材と、配線器具ブロック４とを備える。
【００１２】
ボックス２は、金属製であって、上面が開口する矩形箱状に形成されている。ボックス２の対向する２つの側面には、埋込カバー３を取り付けるための取付片２０２がそれぞれ設けられている。各取付片２０２には、埋込カバー３をボックス２に取り付けるための取付ねじ１１がねじ込まれるねじ孔２０２ａが設けられている。
【００１３】
また、ボックス２の底面には、接地線１８をボックス２に取り付けるための取付ねじ１２がねじ込まれるねじ孔２０３が設けられている。さらに、ボックス２の１つの側面（図２中の左手前側の側面）には電線管１１０が取り付けられている。
埋込カバー３は、金属材料により矩形枠状に形成された本体部３０を有し、本体部３０の中央には横長且つ矩形の開口部３０１が設けられている。また、本体部３０の四隅には、調整板６の高さ位置を調整するための調整ねじ１４がねじ込まれるねじ孔３０５が設けられている。さらにボックス２の各ねじ孔２０２ａに対応する部位には、取付ねじ１１が挿通される挿通孔３０４が設けられている。
また、開口部３０１の長手方向に沿う開口端縁には、上向きに延出し且つ先端側が外向き（開口部３０１と反対側の向き）に折り曲げられた取付片３０２，３０３がそれぞれ設けられている。取付片３０２には、配線器具ブロック４を埋込カバー３に取り付けるための取付ねじ１３がねじ込まれるねじ孔３０２ａが設けられている。さらに取付片３０３には、同様に、取付ねじ１３がねじ込まれるねじ孔３０３ａが設けられている。
【００１４】
配線器具ブロック４は、配線器具８と取付枠９と取付金具４１とで構成されている。
取付金具４１は、図１に示すように、横長且つ矩形板状に形成され幅方向における一端側が上側、他端側が下側となるように斜めに配置される取付板４１１を有する。取付板４１１の中央には、配線器具８の機能面（コンセントの差込口８１が設けられた面）を露出させるための矩形の開口部４１１ａが設けられている（図１（Ａ）参照）。
【００１５】
取付板４１１の上記一端側には、図２に示すように、水平に延出する延出部４１２が設けられ、延出部４１２の先端には、取付ねじ１３が挿通される溝４１４ａを有する取付片４１４が設けられている。また、取付板４１１の上記他端側には、斜め上方に延出する延出部４１３が設けられ、延出部４１３の先端には、取付ねじ１３が挿通される溝４１５ａを有する取付片４１５が設けられている。
【００１６】
取付枠９は、図４示すように、合成樹脂材料によって開口部９０１を有する矩形の枠状に形成される。取付枠９は、一対の縦枠９１と、各縦枠９１の両端同士を連結する一対の横枠９２とが一体に形成されている。すなわち、一対の縦枠９１と一対の横枠９２で囲まれた空間が開口部９０１となる。一方の縦枠９１（図４（Ａ）の左側）には配線器具８の取り付け位置に対応する取付孔９３が設けられる。他方の縦枠９１（図４（Ａ）の右側）には取付孔９３が同様に設けられ且つ取付孔９３の間に解除片（取り外し部）９４が突設されている。一対の横枠９２は、その中央にねじ孔９５が設けられている。取付枠９は、配線器具８の前面を開口部９０１を通して前方へ臨ませるように配線器具８を保持する。
【００１７】
配線器具８は、図５に示すように、差込口８１を２つ有するコンセントである。このコンセントは合成樹脂によって箱形に形成される器体８０と、器体８０を結合する組立枠８２とを有する。
器体８０は、前面に２つの差込口８１が設けられる。また、器体８０内には、差込口８１に対応した刃受と、電線が接続される速結端子とが収納される（いずれも図示せず）。
組立枠８２は金属材料で矩形枠状に形成され、四隅に取付爪８２１が設けられている。すなわち、配線器具８は、組立枠８２の各取付爪８２１が取付孔９３に挿入されることで取付枠９に取り付けられる。ただし、このようなコンセントは従来周知であるから、詳細な構成の図示ならびに説明は省略する。
取付枠９の前面に取付板４１１が被せられ、取付ねじ１７がねじ孔９５に締め込まれることで取付板４１１に取付枠９が取り付けられる。ここで、取付枠９の解除片９４が取付板４１１で覆われていると、取付枠９を取付金具４１に取り付けたままの状態で配線器具８を取付枠９から取り外すことができない。そこで、本実施形態では、取付板４１１は、ねじ孔９５の中心から取付板４１１と延出部４１３との接続部までの長さが、取付枠９のねじ孔９５から解除片９４が設けられる１辺までの長さよりも短く形成される（図１（Ｂ）参照）。故に、取付枠９が取付板４１１に取り付けられた状態において、解除片９４が取付板４１１の外にはみ出して露出することになる。
なお、配線器具８を取付金具４１に取り付けた状態では、図２に示すように、配線器具８のコンセントの差込孔が設けられた面が開口部４１１ａを通して取付板４１１の前面側に露出している。
【００１８】
調整板５は、図２に示すように、金属材料により矩形枠状に形成された本体部５０を有し、本体部５０の中央には矩形の開口部５０１が設けられている。また、本体部５０の四隅には、調整ねじ１４が挿通される挿通孔５０２と、調整板６を調整板５に取り付けるための取付ねじ１５がねじ込まれるねじ孔５０３とがそれぞれ設けられている。
【００１９】
調整板６は、調整板５と同様に、金属材料により矩形枠状に形成された本体部６０を有し、本体部６０の中央には矩形の開口部６０１が設けられている。また、本体部６０の四隅には、取付ねじ１５が挿通される挿通孔６０２と、フロアプレート７を調整板６に取り付けるための取付ねじ１６がねじ込まれるねじ孔６０３とがそれぞれ設けられている。
【００２０】
フロアプレート７は、例えばアルミダイキャスト製であって、プレート枠７０と、扉７１と、通線チップ７２とで構成される。プレート枠７０は、矩形枠状に形成され、プレート枠７０の中央には矩形の開口部７０１が設けられている。また、プレート枠７０において開口部７０１の四隅には、取付ねじ１６が挿通される挿通孔７０２がそれぞれ設けられている。
【００２１】
扉７１は、矩形板状に形成され、扉７１の１辺には、横長且つ矩形の溝（図示せず）が設けられている。また、扉７１において溝の近傍には、扉７１を開閉する際に操作される開閉ボタン（図示せず）を露出させるための矩形の開口部（図示せず）が設けられている。ここに、扉７１の外形寸法は、プレート枠７０の開口部７０１の開口寸法よりもわずかに小さい寸法に設定されている。
【００２２】
この扉７１は、溝が設けられた１辺と隣接する他の１辺においてプレート枠７０に軸支されている。そして、扉７１は、プレート枠７０の開口部７０１を閉塞する位置と、開口部７０１を開放する位置（図２に示す位置）との間で開閉される。
【００２３】
通線チップ７２は、横長且つ矩形板状に形成された本体部７２１を有し、本体部７２１の下面には、下向きに延出する複数（本実施形態では３個）の脚部７２２が等間隔で横並びに設けられている。また、隣接する脚部７２２間には、電源プラグに接続された電線を保護するためのブッシュ７４が設けられている。なお、通線チップ７２の本体部７２１の外形寸法は、扉７１の溝の開口寸法よりもわずかに小さい寸法に設定されている。
【００２４】
この通線チップ７２は、幅方向における１辺において扉７１に軸支されており、扉７１の溝を閉塞する位置と、溝を開放する位置との間で開閉される。
【００２５】
次に、床用配線装置１の設置手順について説明する。なお、以下の説明では、埋込カバー３が取り付けられたボックス２が、コンクリート製の床１００の所定位置に埋め込まれているものとする。また、配線器具８を取付枠９に取り付け、取付枠９を取付ねじ１７を用いて取付板４１１に固定されている配線器具ブロック４が用意されているものとして説明を行う。
【００２６】
最初に、作業者は、電線管１１０を通してボックス２内に引きこまれた電線（図示せず）を配線器具８の裏面にある配線孔（図示せず）に引き込む。電線管１１０を通してボックス２内に引き込まれた接地線１８をボックス２の底面にねじ固定する。その後、作業者は、埋込カバー３の開口部３０１を通して配線器具ブロック４をボックス２内に収納した状態で、取付ねじ１３を用いて配線器具ブロック４を埋込カバー３に取り付ける。このとき、配線器具ブロック４は、取付金具４１の取付板４１１の長手方向と、埋込カバー３の開口部３０１の長手方向とが同じ方向となるように配置される。
【００２７】
次に、作業者は、調整板５の挿通孔５０２に挿通させた調整ねじ１４を埋込カバー３のねじ孔３０５にねじ込む。このとき、作業者は、床上面に敷設される表面材（例えばタイルカーペット）の厚みに応じて調整ねじ１４の高さを調整する。さらに、作業者は、取付ねじ１５を用いて調整板６を調整板５に取り付ける。調整板６を調整板５に取り付けると、調整ねじ１４の頭部が調整板５と調整板６の間に挟まれ、上側の調整板６が、調整ねじ１４のねじ込み量によって決まる高さ位置に保持される。
【００２８】
そして最後に、作業者は、取付ねじ１６を用いてフロアプレート７を調整板６に取り付ける。このとき、扉７１の軸方向と埋込カバー３の開口部３０１の幅方向とが同じ方向で、且つ通線チップ７２が電線管１１０側となる向きで、フロアプレート７が調整板６に取り付けられる。以上の手順により、床用配線装置１の設置が完了する。ここに、床用配線装置１を床に設置した状態では、調整板６の本体部６０の上面がフロアプレート７のプレート枠７０の下面に面接触している。そして、床用配線装置１を設置した状態では、上記機能面が斜め上方を向くようにして配線器具ブロック４が配置される。
【００２９】
次に、配線器具８に電源プラグを接続する手順について説明する。最初に、使用者は、フロアプレート７の扉７１の上面に設けられた開閉ボタンを開方向にスライドさせて扉７１を開き、ボックス２内に収納された配線器具８の差込口８１に電源プラグを差し込む。続けて、使用者は、扉７１を開いたままで通線チップ７２を開方向へ移動させた後、通線チップ７２を開いたままで扉７１を閉じる。このとき、電源プラグに接続された電線（図示せず）は、ブッシュ７４により保護されるとともに、通線チップ７２の開口を通して外部に導出される。
【００３０】
また、配線器具８から電源プラグを取り外す手順について説明する。最初に、使用者は、フロアプレート７の扉７１の上面に設けられた開閉ボタンを開方向にスライドさせて扉７１を開き、配線器具８の差込口８１から電源プラグを引き抜く。続けて、使用者は、扉７１を開いたままで通線チップ７２を閉方向へ移動させた後、扉７１を閉じる。このように、床用配線装置１を使用しない状態では、通線チップ７２を閉じておくことで、通線チップ７２が邪魔にならない。
【００３１】
最後に、取付装置から修理等で配線器具８を取り外す手順について説明する。ただし、フロアプレート７と調整板５，６と電源プラグはすでに取り外されているものとする。取付ねじ１３を取り外し、配線器具ブロック４を取り出す。取付枠９の前面に取り付けられている取付金具４１の取付板４１１の前方からドライバ等の治具を使用して、縦枠９１と解除片９４との間に差し込み、解除片９４を縦枠９１から引き離すように外側に押圧する。解除片９４を押圧している状態で、配線器具８の取付爪８２１を解除片９４の片側の取付孔９３からそれぞれ抜き取り、その後取付枠９の他辺の取付孔９３に保持されている取付爪８２１をそれぞれ取り外す。
【００３２】
本実施形態の配線器具用取付装置は、配線器具８を着脱可能に保持する取付枠９と、取付枠９を保持する取付金具４１と、取付金具４１を床下に埋め込むための埋込部材（埋込カバー３、調整板５，６）とを備える。取付枠９は、前方から操作されるときに配線器具８が取り外し可能となるように構成される取り外し部（解除片９４）が端部（縦枠９１）に設けられる。埋込部材は、床１００に設けられる開口部１０１に配線器具８を臨ませるように構成される。取付金具４１は、取付枠９の前面に取り付けられる取付板４１１を有する。取付板４１１は、取り外し部を取付枠９の前方から操作可能なように構成される。
したがって、本実施形態の配線器具用取付装置は、取付金具４１の取付板４１１が取付枠９の取り外し部を前方から操作可能に構成されているので、取付枠９が取付金具４１に固定されたままの状態で取付枠９から配線器具８を容易に取り外すことが可能となる。
【符号の説明】
【００３３】
４１  取付金具
４１１  取付板
８  配線器具
９  取付枠
９１  縦枠
９４  解除片（取り外し部）
【図１】
2015154548.tif 000003
【図２】
2015154548.tif 000004
【図３】
2015154548.tif 000005
【図４】
2015154548.tif 000006
【図５】
2015154548.tif 000007